(57)【要約】【課題】カートリッジに対する所定の操作が可能であるか否かを、利用者が容易に認識可能とする。【解決手段】操作用部材２５０が取り付けられたカートリッジ式ＨＤＤ２００は、スロット１５０に挿入される。このとき、操作用部材２５０が、頭部部材２５２がカートリッジ式ＨＤＤ２００の挿入方向の後側となる第１の配置である場合には、操作用部材２５０は、スイッチ１５４には接触せず、カートリッジ式ＨＤＤ２００への書き込みが可能な状態となる。一方、操作用部材２５０が、頭部部材２５２がカートリッジ式ＨＤＤ２００の挿入方向の前側となる第２の配置である場合には、操作用部材２５０は、スイッチ１５４を押圧し、カートリッジ式ＨＤＤ２００への書き込みが禁止の状態となる。【選択図】図４
2011146086.tif 000002
【特許請求の範囲】
【請求項１】
カートリッジと、
前記カートリッジを挿入可能なスロットを有する本体機器と、
前記カートリッジに取り付けられ、前記スロットに対する前記カートリッジの挿入方向に延在し、前記カートリッジに対する所定の操作が可能な状態では第１の配置となり、前記カートリッジに対する所定の操作が不能な状態では第２の配置となる操作用部材と、
前記本体機器の内部に設けられ、前記カートリッジが前記スロットに挿入され、且つ、前記操作用部材が前記第１の配置及び前記第２の配置の何れかの場合に、前記操作用部材によって操作される被操作部と
を備えるカートリッジシステム。
【請求項２】
前記操作用部材は、前記カートリッジがスロットに挿入された状態において、前記第１の配置と前記第２の配置とで、外部への露出の態様が異なる請求項１に記載のカートリッジシステム。
【請求項３】
前記被操作部は、前記操作用部材によって押圧された場合にオンとなるスイッチである請求項１又は２に記載のカートリッジシステム。
【請求項４】
前記本体機器又は前記カートリッジに設けられる光源を備え、
前記操作用部材は、光透過性の部材である請求項１乃至３の何れかに記載のカートリッジシステム。
【請求項５】
前記光源は、前記カートリッジの状態に応じて発光状態が異なる請求項４に記載のカートリッジシステム。
【請求項６】
前記カートリッジは、前記スロットに対する挿入方向に延在する溝を備え、
前記操作用部材は、前記溝に嵌合する請求項１乃至５の何れかに記載のカートリッジシステム。
【請求項７】
前記カートリッジは、前記スロットに対する挿入方向に延在する溝を備え、
前記操作用部材は、前記溝を摺動可能である請求項１乃至５の何れかに記載のカートリッジシステム。
【発明の詳細な説明】
【技術分野】
【０００１】
本発明は、カートリッジと、当該カートリッジが挿入されるスロットを有する本体機器とを含むカートリッジシステムに関する。
【背景技術】
【０００２】
近年、ハードディスクドライブ（ＨＤＤ）等の記憶媒体を可搬性のあるカートリッジとし、再生装置等の本体機器に挿入して使用することが提案されている。このようなカートリッジ（カートリッジ式ＨＤＤ）には、重要なデータが消去されることにないように、書き込みが禁止される状態を設ける必要がある（例えば、特許文献１参照）。
【先行技術文献】
【特許文献】
【０００３】
【特許文献１】特開平８−１３８３０７号公報
【特許文献２】特開２００８−２１３８６号公報
【発明の概要】
【発明が解決しようとする課題】
【０００４】
しかしながら、上述した従来の技術では、カートリッジ式ＨＤＤが本体機器に挿入された状態では、利用者は、当該カートリッジ式ＨＤＤが書き込み禁止状態であるか否かを容易に認識できないという問題があった。
【０００５】
そこで、本発明は、カートリッジに対する所定の操作が可能であるか否かを、利用者が容易に認識できるカートリッジシステムを提供することを目的とする。
【課題を解決するための手段】
【０００６】
上述した課題を解決するために、本発明は以下のような特徴を有している。本発明の第１の特徴は、カートリッジ（カートリッジ式ＨＤＤ２００）と、前記カートリッジを挿入可能なスロット（スロット１５０）を有する本体機器（記憶装置本体１００）と、前記カートリッジに取り付けられ、前記スロットに対する前記カートリッジの挿入方向に延在し、前記カートリッジに対する所定の操作が可能な状態では第１の配置となり、前記カートリッジに対する所定の操作が不能な状態では第２の配置となる操作用部材（操作用部材２５０）と、前記本体機器の内部に設けられ、前記カートリッジが前記スロットに挿入され、且つ、前記操作用部材が前記第１の配置及び前記第２の配置の何れかの場合に、前記操作用部材によって操作される被操作部（スイッチ１５４）とを備えることを要旨とする。
【０００７】
このようなカートリッジシステムでは、カートリッジに取り付けられる操作用部材は、カートリッジに対する所定の操作が可能な状態では第１の配置となり、カートリッジに対する所定の操作が不能な状態では第２の配置となる。そして、カートリッジが本体機器のスロットに挿入されると、操作用部材は、第１の配置及び第２の配置の何れかの場合に、本体機器の被操作部を操作する。これにより、利用者は、スロットにカートリッジが挿入された状態では、操作用部材の配置によって、当該カートリッジに対する所定の操作が可能であるか否かを認識できる。また、操作用部材による被操作部に対する操作に応じて、換言すれば、操作用部材の配置に応じて、本体機器は、挿入されるカートリッジに対する所定の操作を可能とする、あるいは、不能とする制御が可能となる。
【０００８】
本発明の第２の特徴は、前記操作用部材は、前記カートリッジがスロットに挿入された状態において、前記第１の配置と前記第２の配置とで、外部への露出の態様が異なることを要旨とする。
【０００９】
本発明の第３の特徴は、前記被操作部は、前記操作用部材によって押圧された場合にオンとなるスイッチであることを要旨とする。
【００１０】
本発明の第４の特徴は、前記本体機器又は前記カートリッジに設けられる光源（光源１５６）を備え、前記操作用部材は、光透過性の部材であることを要旨とする。
【００１１】
本発明の第５の特徴は、前記光源は、前記カートリッジの状態に応じて発光状態が異なることを要旨とする。
【００１２】
本発明の第６の特徴は、前記カートリッジは、前記スロットに対する挿入方向に延在する溝（溝２２０）を備え、前記操作用部材は、前記溝に嵌合することを要旨とする。
【００１３】
本発明の第７の特徴は、前記カートリッジは、前記スロットに対する挿入方向に延在する溝（溝２２５）を備え、前記操作用部材は、前記溝を摺動可能であることを要旨とする。
【発明の効果】
【００１４】
本発明によれば、カートリッジに対する所定の操作が可能であるか否かを、利用者が容易に認識できる。
【図面の簡単な説明】
【００１５】
【図１】本発明の実施形態に係るＮＡＳの外観斜視図である。
【図２】本発明の実施形態に係るＮＡＳのスロット近傍の外観斜視図である。
【図３】本発明の実施形態に係るカートリッジ式ＨＤＤと第１の操作用部材の外観斜視図である。
【図４】本発明の実施形態に係る第１の操作用部材が取り付けられたカートリッジ式ＨＤＤが記憶装置本体のスロットに挿入された場合の第１及び第２の状態を示す図である。
【図５】本発明の実施形態に係る第１の操作用部材が取り付けられたカートリッジ式ＨＤＤが記憶装置本体のスロットに挿入された場合の第３及び第４の状態を示す図である。
【図６】本発明の他の実施形態に係るカートリッジ式ＨＤＤと第２の操作用部材の外観斜視図である。
【発明を実施するための形態】
【００１６】
次に、図面を参照して、本発明の実施形態を説明する。以下の実施形態における図面の記載において、同一又は類似の部分には同一又は類似の符号を付している。
【００１７】
但し、図面は模式的なものであり、各寸法の比率などは現実のものとは異なることに留意すべきである。従って、具体的な寸法等は以下の説明を参酌して判断すべきものである。また、図面相互間においても互いの寸法の関係や比率が異なる部分が含まれていることは勿論である。
【００１８】
以下においては、ネットワーク対応型の記憶装置であるＮＡＳ（Network Attached Storage）に対して、本発明のカートリッジシステムを適用した場合の実施形態について説明する。
【００１９】
本実施形態に係るＮＡＳは、着脱可能な記憶媒体を有する。記憶媒体としては、磁気ディスクを用いるＨＤＤ（Hard Disk Drive）を使用するカートリッジを例示するが、ＨＤＤに代えて、不揮発性メモリを用いるＳＳＤ（Solid State Drive）、あるいは光学ドライブを使用してもよい。
【００２０】
以下、（１）ＮＡＳの構成、（２）カートリッジ式ＨＤＤがスロットに挿入された時のＮＡＳの状態、（３）作用・効果、（４）その他の実施形態の順に説明する。
【００２１】
（１）ＮＡＳの構成
図１及び図２を参照して、本実施形態に係るＮＡＳの構成について説明する。
【００２２】
図１は、本実施形態に係るＮＡＳの外観斜視図である。また、図２は、本実施形態のＮＡＳのスロット近傍の外観斜視図である。
【００２３】
本実施形態では、本体機器としての記憶装置本体１００と、カートリッジとしてのカートリッジ式ＨＤＤ２００とによってＮＡＳが構成される。
【００２４】
記憶装置本体１００には、２つのスロット１５０が設けられている。この２つのスロット１５０のそれぞれには、カートリッジ式ＨＤＤ２００が挿入される。これにより、記憶装置本体１００に設けられたコネクタ１５２と、カートリッジ式ＨＤＤ２００に設けられたコネクタ２０２とが接続される。コネクタ１５２とコネクタ２０２とが接続されると、記憶装置本体１００は、スロット１５０に挿入されたカートリッジ式ＨＤＤ２００に対するデータの書き込み及び読み出し等を行うことが可能となる。
【００２５】
カートリッジ式ＨＤＤ２００は、カートリッジ内にＨＤＤを収納したものであり、記憶装置本体１００に着脱可能に構成されている。
【００２６】
記憶装置本体１００にカートリッジ式ＨＤＤ２００を着脱可能に構成することで、カートリッジ式ＨＤＤ２００の記憶容量が不足している場合には他のカートリッジ式ＨＤＤ２００により記憶できる。また、記憶させるデータの属性毎にカートリッジ式ＨＤＤ２００を使い分けることができる。
【００２７】
図２に示すように、スロット１５０の内壁面のうち、カートリッジ式ＨＤＤ２００の挿入方向の前方に位置する内壁面（第１内壁面）１６１における、当該挿入方向から見て右側の端部には、スイッチ１５４が設けられている。また、スロット１５０の内壁面のうち、カートリッジ式ＨＤＤ２００の挿入方向に延在し、当該挿入方向から見て右側の内壁面（第２内壁面）１６２における、当該挿入方向の前側には、ＬＥＤ等の光源１５６が設けられている。
【００２８】
図３は、本発明の実施形態に係るカートリッジ式ＨＤＤと第１の操作用部材の外観斜視図である。
【００２９】
図３に示すように、カートリッジ式ＨＤＤ２００の側面のうち、スロット１５０への挿入方向に延在し、当該挿入方向から見て右側の側面２１１には、当該挿入方向に延在する溝２２０が設けられている。また、側面２１１の挿入方向の後側の端部には、切り欠き部２２１が設けられ、挿入方向の前側の端部には、切り欠き部２２２が設けられている。切り欠き部２２１及び２２２は同一形状である。これら溝２２０、切り欠き部２２１及び２２２は、側面２１１に連続した凹部を形成している。
【００３０】
一方、第１の操作用部材である操作用部材２５０は、透明な樹脂等の光透過性を有する部材である。この操作用部材２５０は、棒状部材２５１と、当該棒状部材の一端に取り付けられている頭部部材２５２とにより構成される。棒状部材２５１は、溝２２０に対応する形状を有し、頭部部材２５２は、切り欠き部２２１及び２２２に対応する形状を有する。
【００３１】
操作用部材２５０は、頭部部材２５２がカートリッジ式ＨＤＤ２００の挿入方向の後側となる配置（第１の配置）では、棒状部材２５１が溝２２０に嵌合し、頭部部材２５２が切り欠き部２２１に嵌合することで、カートリッジ式ＨＤＤ２００に取り付けられる。
【００３２】
一方、操作用部材２５０は、頭部部材２５２がカートリッジ式ＨＤＤ２００の挿入方向の前側となる配置（第２の配置）では、棒状部材２５１が溝２２０に嵌合し、頭部部材２５２が切り欠き部２２２に嵌合することで、カートリッジ式ＨＤＤ２００に取り付けられる。
【００３３】
（２）カートリッジ式ＨＤＤがスロットに挿入された時のＮＡＳの状態
図４は、操作用部材２５０が取り付けられたカートリッジ式ＨＤＤ２００が記憶装置本体のスロット１５０に挿入された場合の第１及び第２の状態を示す図である。
【００３４】
図４（ａ）に示す第１の状態では、操作用部材２５０は、頭部部材２５２がカートリッジ式ＨＤＤ２００の挿入方向の後側となる第１の配置である。この場合、カートリッジ式ＨＤＤ２００がスロット１５０に挿入されても、操作用部材２５０は、スイッチ１５４には接触しない。このため、スイッチ１５４はオフ状態である。スイッチ１５４がオフ状態の場合には、記憶装置本体１００内の図示しない制御部は、カートリッジ式ＨＤＤ２００への書き込みを可能な状態とする。
【００３５】
図４（ｂ）に示す第２の状態では、操作用部材２５０は、頭部部材２５２がカートリッジ式ＨＤＤ２００の挿入方向の前側となる第２の配置である。この場合、カートリッジ式ＨＤＤ２００がスロット１５０に挿入されると、操作用部材２５０の頭部部材２５２は、スイッチ１５４に接触して押圧する。このため、スイッチ１５４はオン状態である。スイッチ１５４がオン状態の場合には、記憶装置本体１００内の図示しない制御部は、カートリッジ式ＨＤＤ２００への書き込みを禁止の状態とする。
【００３６】
図５は、操作用部材２５０が取り付けられたカートリッジ式ＨＤＤ２００が記憶装置本体のスロット１５０に挿入された場合の第３及び第４の状態を示す図である。
【００３７】
図５（ａ）に示す第３の状態では、操作用部材２５０は、頭部部材２５２がカートリッジ式ＨＤＤ２００の挿入方向の後側となる第１の配置である。一方、図５（ｂ）に示す第４の状態では、操作用部材２５０は、頭部部材２５２がカートリッジ式ＨＤＤ２００の挿入方向の前側となる第２の配置である。
【００３８】
これら第３及び第４の状態において、カートリッジ式ＨＤＤ２００がスロット１５０に正常に挿入されている場合、換言すれば、カートリッジ式ＨＤＤ２００のコネクタ２０２と、記憶装置本体１００のコネクタ１５２とが正常に接続されている場合には、記憶装置本体１００内の図示しない制御部は、光源１５６を発光させる。例えば、記憶装置本体１００内の図示しない制御部は、記憶装置本体１００とカートリッジ式ＨＤＤ２００とが電気的に導通したことを検知すると、コネクタ２０２とコネクタ１５２とが正常に接続されていると判定できる。光源１５６が発光すると、当該光源１５６からの光は、光透過性の部材である操作用部材２５０を進行して、外部へ照射される。
【００３９】
一方、第３及び第４の状態において、カートリッジ式ＨＤＤ２００がスロット１５０に正常に挿入されていない場合、換言すれば、カートリッジ式ＨＤＤ２００のコネクタ２０２と、記憶装置本体１００のコネクタ１５２とが正常に接続されていない場合には、記憶装置本体１００内の図示しない制御部は、光源１５６を発光させない。
【００４０】
（３）作用・効果
上述したＮＡＳによれば、操作用部材２５０が取り付けられたカートリッジ式ＨＤＤ２００は、スロット１５０に挿入される。このとき、操作用部材２５０は、頭部部材２５２がカートリッジ式ＨＤＤ２００の挿入方向の後側となる第１の配置である場合には、スイッチ１５４には接触せず、カートリッジ式ＨＤＤ２００への書き込みが可能な状態となる。一方、操作用部材２５０は、頭部部材２５２がカートリッジ式ＨＤＤ２００の挿入方向の前側となる第２の配置である場合には、操作用部材２５０は、スイッチ１５４を押圧し、カートリッジ式ＨＤＤ２００への書き込みが禁止の状態となる。
【００４１】
更には、図４（ａ）に示すように、操作用部材２５０が第１の配置である場合と、図４（ｂ）に示すように、操作用部材２５０が第２の配置である場合とでは、操作用部材２５０の外部への露出の態様、具体的には、操作用部材２５０における、カートリッジ式ＨＤＤ２００の挿入方向の後側の部分の形状が異なる。従って、利用者は、操作用部材２５０の外部に露出する部分の形状によって、カートリッジ式ＨＤＤ２００が書き込み可能の状態であるか、書き込み禁止の状態であるかを、容易に認識できる。
【００４２】
また、カートリッジ式ＨＤＤ２００がスロット１５０に正常に挿入されている場合には、光源１５６が発光し、当該光源１５６からの光は、光透過性の部材である操作用部材２５０を進行して、外部へ照射される。一方、カートリッジ式ＨＤＤ２００がスロット１５０に正常に挿入されている場合には、光源１５６は発光しない。従って、利用者は、操作用部材２５０から外部への光の照射状態によって、カートリッジ式ＨＤＤ２００が正常に挿入されているか否かを、容易に認識できる。
【００４３】
（４）その他の実施形態
本発明は実施形態によって記載したが、この開示の一部をなす論述及び図面はこの発明を限定するものであると理解すべきではない。この開示から当業者には様々な代替実施形態、実施例及び運用技術が明らかとなる。
【００４４】
図６は、本発明の他の実施形態に係るカートリッジ式ＨＤＤと第２の操作用部材の外観斜視図である。
【００４５】
図６に示すように、カートリッジ式ＨＤＤ２００の側面のうち、スロット１５０への挿入方向に延在し、当該挿入方向から見て右側の側面２１１には、当該挿入方向に延在する溝２２５が設けられている。
【００４６】
一方、第２の操作用部材である操作用部材２６０は、溝２２５に対応する形状を有し、当該溝２２５内を摺動（スライド移動）可能である。
【００４７】
図６（ａ）は、操作用部材２６０が、カートリッジ式ＨＤＤ２００の挿入方向の後側となる配置（第１の配置）であり、図６（ｂ）は、操作用部材２６０が、カートリッジ式ＨＤＤ２００の挿入方向の前側となる配置（第２の配置）である。
【００４８】
図６（ａ）の場合、カートリッジ式ＨＤＤ２００がスロット１５０に挿入されても、操作用部材２５０は、スイッチ１５４には接触しない。このため、スイッチ１５４はオフ状態である。スイッチ１５４がオフ状態の場合には、記憶装置本体１００内の図示しない制御部は、カートリッジ式ＨＤＤ２００への書き込みを可能な状態とする。
【００４９】
一方、図６（ｂ）の場合、カートリッジ式ＨＤＤ２００がスロット１５０に挿入されると、操作用部材２５０の頭部部材２５２が、スイッチ１５４に接触して押圧する。このため、スイッチ１５４はオン状態である。スイッチ１５４がオン状態の場合には、記憶装置本体１００内の図示しない制御部は、カートリッジ式ＨＤＤ２００への書き込みを禁止の状態とする。
【００５０】
図６（ａ）に示すように、操作用部材２６０が第１の配置である場合には、当該操作用部材２６０における、カートリッジ式ＨＤＤ２００の挿入方向の後側の部分が露出する。一方、図６（ｂ）に示すように、操作用部材２６０が第２の配置である場合には、当該操作用部材２６０は、外部に露出しない。従って、利用者は、操作用部材２５０の外部に露出しているか否かによって、カートリッジ式ＨＤＤ２００が書き込み可能の状態であるか、書き込み禁止の状態であるかを、容易に認識できる。
【００５１】
また、上述した実施形態では、操作用部材の配置によって、カートリッジ式ＨＤＤ２００が書き込み可能の状態であるか、書き込み禁止の状態であるかを利用者が容易に認識可能としたが、操作用部材の配置によって、カートリッジ式ＨＤＤ２００に対する何らかの操作の可否が定まるのであれば、同様に本発明を適用することができる。
【００５２】
また、上述した実施形態では、カートリッジ式ＨＤＤ２００がスロット１５０に正常に挿入されている場合と、正常に挿入されていない場合とで、光源１５６の発光状態が異なっているが、カートリッジ式ＨＤＤ２００の挿入状態以外の各種状態に応じて光源１５６の発光状態が異なるようにしてもよい。
【００５３】
例えば、カートリッジ式ＨＤＤ２００に対する書き込み、読み出し等のアクセス状態に応じて、光源１５６の発光状態が異なるようにしてもよい。また、カートリッジ式ＨＤＤ２００に対する書き込みが可能であるか否かによって、光源１５６の発光状態が異なるようにしてもよい。更には、記憶装置本体１００とカートリッジ式ＨＤＤ２００との間の通信速度等の通信状態に応じて、光源１５６の発光状態が異なるようにしてもよい。
【００５４】
また、上述した実施形態では、光源１５６は、記憶装置本体１００に設けられているが、カートリッジ式ＨＤＤ２００における挿入方向の前側に設けられていてもよい。この場合、カートリッジ式ＨＤＤ２００に設けられた光源１５６からの光は、操作用部材２５０を進行して、外部へ照射され得る。
【００５５】
また、上述した実施形態では、カートリッジ式ＨＤＤ２００の側面２１１における溝２２０は、カートリッジ式ＨＤＤ２００のスロット１５０への挿入方向に直線状に延在しているが、溝２２０の延在方向の形状は、これに限定されず、例えば、波形形状であってもよい。
【００５６】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００５７】
本発明のカートリッジシステムは、カートリッジに対する所定の操作が可能であるか否かを、利用者が容易に認識でき、カートリッジシステムとして有用である。
【符号の説明】
【００５８】
１００…記憶装置本体、１５０…スロット、１５２…コネクタ、１５４…スイッチ、１５６…光源、１６１…第１内壁面、１６２…第２内壁面、２００…カートリッジ式ＨＤＤ、２０２…コネクタ、２１１…側面、２２０…溝、２２１、２２２…切り欠き部、２２５…溝、２５０…操作用部材、２５１…棒状部材、２５２…頭部部材、２６０…操作用部材
【図１】
2011146086.tif 000003
【図２】
2011146086.tif 000004
【図３】
2011146086.tif 000005
【図４】
2011146086.tif 000006
【図５】
2011146086.tif 000007
【図６】
2011146086.tif 000008